(57)【要約】【課題】映像データの記録された情報貯蔵媒体、その記録方法、記録装置、再生方法及び再生装置を提供する。【解決手段】映像データを情報貯蔵媒体に記録する方法において、(a)  前記映像データをデコーディングする段階と、(b)  デコーディングされた映像データを元の方式と異なる方式でエンコーディングする段階と、(c)  前記映像データを元と同一な状態にデコーディングするために参照せねばならない映像変換情報を生成する段階と、(d)  生成された映像変換情報及び再インコーディングされた映像データを前記情報貯蔵媒体に記録する段階とを含むことを特徴とする。これにより、映像データを他の方式で再インコーディングして記録しても映像データを正しく再生しうる。【選択図】図１２
2005312071.tif 000002
【特許請求の範囲】
【請求項１】
映像データを情報貯蔵媒体に記録する方法において、
(a)  前記映像データをデコーディングする段階と、
(b)  デコーディングされた映像データを元の方式とは異なる方式でエンコーディングする段階と、
(c)  前記映像データを元と同一な状態にデコーディングするために参照せねばならない映像変換情報を生成する段階と、
(d)  生成された映像変換情報及び再インコーディングされた映像データを記録する段階とを含むことを特徴とする記録方法。
【請求項２】
前記(b)段階は異なる解像度を有するようにエンコーディングする段階を含むことを特徴とする請求項１に記載の記録方法。
【請求項３】
前記(c)段階は、
(c1)  元の解像度を抽出する段階を含むことを特徴とする請求項２に記載の記録方法。
【請求項４】
前記(c)段階は、
(c2)  元の横縦比を抽出する段階を含むことを特徴とする請求項３に記載の記録方法。
【請求項５】
映像データを情報貯蔵媒体に記録する方法において、
(a)  前記映像データ及びハイパーテキストデータを含むビットストリームから前記映像データを分離してデコーディングする段階と、
(b)  デコーディングされた映像データを元の方式とは異なる方式でエンコーディングする段階と、
(c)  再インコーディングされた映像データを元と同一な状態にデコーディングするために参照せねばならない映像変換情報を生成する段階と、
(d)  生成された映像変換情報、再インコーディングされた映像データ及び前記ハイパーテキストデータをマルチプレクシングする段階と、
(e)  マルチプレクシングされたビットストリームを前記情報貯蔵媒体に記録する段階とを含むことを特徴とする記録方法。
【請求項６】
前記(b)段階は異なる解像度を有するようにエンコーディングする段階を含むことを特徴とする請求項５に記載の記録方法。
【請求項７】
前記(c)段階は、
(c1)  元の解像度を抽出する段階を含むことを特徴とする請求項５に記載の記録方法。
【請求項８】
前記(c)段階は、
(c2)  元の横縦比を抽出する段階を含むことを特徴とする請求項５に記載の記録方法。
【請求項９】
前記ビットストリームはMPEG伝送ストリームであり、
前記(d)段階は、
(d1)  前記映像変換情報はPMTパケットに挿入してマルチプレクシングする段階を含むことを特徴とする請求項５に記載の記録方法。
【請求項１０】
前記(d1)段階はビデオ変換記述子をビデオエレメント記述子に挿入する段階を含むことを特徴とする請求項９に記載の記録方法。
【請求項１１】
前記ビデオ変換記述子は、水平解像度、垂直解像度、及び横縦比を変数として有することを特徴とする請求項１０に記載の記録方法。
【請求項１２】
映像データを情報貯蔵媒体に記録する方法において、
(a)  前記映像データとハイパーテキストデータがマルチプレクシングされたビットストリームから前記映像データを分離してデコーディングする段階と、
(b)  デコーディングされた映像データを元の方式とは異なる方式でエンコーディングする段階と、
(c)  前記映像データを元と同一な状態にデコーディングするために参照せねばならない映像変換情報を生成する段階と、
(d)  生成された映像変換情報を前記情報貯蔵媒体のナビゲーションデータ領域に記録する段階と、
(e)  再インコーディングされた映像データ、前記映像データと共に再生されるためのハイパーテキストデータをマルチプレクシングする段階と、
(f)  マルチプレクシングされたビットストリームを前記情報貯蔵媒体のプログラム領域に記録する段階とを含むことを特徴とする記録方法。
【請求項１３】
前記ビットストリームはMPEG伝送ストリームであり、
前記(d)段階は、
(d1)  前記映像変換情報をPMT構成情報として記録する段階を含むことを特徴とする請求項１２に記載の記録方法。
【請求項１４】
前記(d1)段階はビデオ変換記述子をビデオエレメント記述子に挿入することを特徴とする請求項１３に記載の記録方法。
【請求項１５】
前記ビデオ変換記述子は水平解像度、垂直解像度、及び横縦比を変数として有することを特徴とする請求項１４に記載の記録方法。
【請求項１６】
元の方式と異なる方式でエンコーディングされて記録された映像データと、
前記映像データを元と同一な状態にデコーディングするために参照せねばならない映像変換情報を含むことを特徴とする情報貯蔵媒体。
【請求項１７】
前記映像データと共に再生されるためのオーディオデータと、
前記映像データと共にディスプレーされるハイパーテキストデータと、
前記映像データを再生するために必要なプログラム構成データをさらに含むことを特徴とする請求項１６に記載の情報貯蔵媒体。
【請求項１８】
前記映像データ、オーディオデータ、前記映像変換情報はマルチプレクシングされてプログラム領域に記録されることを特徴とする請求項１７に記載の情報貯蔵媒体。
【請求項１９】
前記映像データ、オーディオデータ及びハイパーテキストデータはマルチプレクシングされてプログラム領域に記録され、
前記映像変換情報は前記プログラム構成データとしてナビゲーションデータ領域に記録されることを特徴とする請求項１７に記載の情報貯蔵媒体。
【請求項２０】
前記映像データ、オーディオデータ及びハイパーテキストデータはマルチプレクシングされてMPEG伝送ストリーム方式でプログラム領域に記録され、
前記映像変換情報はPMT構成情報としてナビゲーションデータ領域に記録されることを特徴とする請求項１９に記載の情報貯蔵媒体。
【請求項２１】
前記映像データは異なる解像度を有するようにエンコーディングされたものであり、
前記映像変換情報は元の映像データの解像度を含むことを特徴とする請求項２０に記載の情報貯蔵媒体。
【請求項２２】
前記映像変換情報は元の横縦比をさらに含むことを特徴とする請求項２１に記載の情報貯蔵媒体。
【請求項２３】
前記映像変換情報はビデオ変換記述子であってビデオエレメント記述子に挿入されていることを特徴とする請求項２２に記載の情報貯蔵媒体。
【請求項２４】
前記ビデオ変換記述子は、水平解像度、垂直解像度、及び横縦比を変数として有することを特徴とする請求項２３に記載の情報貯蔵媒体。
【請求項２５】
ビットストリームを受信して情報貯蔵媒体に記録する記録装置において、
入力されたビットストリームから映像データを抽出するフィルター部と、
抽出された映像データをデコーディングし、デコーディングされた映像データを元の方式とは異なる方式でエンコーディングして記録して前記映像データを元と同一な状態にデコーディングするために参照せねばならない映像変換情報を記録する記録部と、
前記映像変換情報を生成して前記記録部に提供する制御部とを含むことを特徴とする記録装置。
【請求項２６】
前記記録部は前記映像変換情報を再インコーディングされた映像データと共にプログラム領域に記録することを特徴とする請求項２５に記載の記録装置。
【請求項２７】
前記記録部は前記映像変換情報をナビゲーションデータ領域に記録することを特徴とする請求項２５に記載の記録装置。
【請求項２８】
前記フィルター部は入力されたビットストリームからビデオデータ、オーディオデータ、ハイパーテキストデータ、及びプログラム情報データをデマルチプレクシングするデマルチプレクサを具備し、
前記制御部は前記ビデオデータを元と同一な状態にデコーディングするために参照せねばならない映像変換情報を生成して出力する映像変換情報生成部を具備し、
前記記録部は前記デマルチプレクサから提供されたビデオデータをデコーディングするビデオデコーダと、デコーディングされたビデオデータを再インコーディングするビデオエンコーダと、生成された映像変換情報及び再インコーディングされたビデオデータをマルチプレクシングするマルチプレクサを含むことを特徴とする請求項２７に記載の記録装置。
【請求項２９】
前記制御部は前記デマルチプレクサから出力されたプログラム情報データのうちPMTパケットを抽出するフィルターと、抽出されたPMTパケットに基づいて映像変換情報が含まれたPMT構成情報を生成するジェネレーターを含み、
前記記録部はPMT構成情報を前記ナビゲーションデータ領域に記録することを特徴とする請求項２８に記載の記録装置。
【請求項３０】
前記ジェネレーターは再インコーディングされる前のビデオデータに対する元の解像度及び縦横比が含まれたビデオ変換記述子がビデオエレメント記述子に挿入されたPMT構成情報を生成することを特徴とする請求項２９に記載の記録装置。
【請求項３１】
元の方式と異なる方式でエンコーディングされた映像データと、前記映像データを元と同一な状態にデコーディングするために参照せねばならない映像変換情報が記録された情報貯蔵媒体から前記映像データを再生する方法において、
(a)  プログラム領域から映像データ及びハイパーテキストデータを読出す段階と、
(b)  ナビゲーションデータ領域から映像変換情報を読出す段階と、
(c)  読出された映像データ、ハイパーテキストデータ、及び映像変換情報をマルチプレクシングして出力する段階とを含むことを特徴とする再生方法。
【請求項３２】
(d)  映像変換情報を参照して映像データをデコーディングする段階と、
(e)  ハイパーテキストデータをデコーディングする段階と、
(f)  デコーディングされたハイパーテキストデータ及び映像データをブレンディングして出力する段階とをさらに含むことを特徴とする請求項３１に記載の再生方法。
【請求項３３】
前記(a)段階はビデオデータ、オーディオデータ、及びハイパーテキストデータがマルチプレクシングされたMPEG伝送ストリームを読出す段階を含み、
前記(b)段階は映像変換情報が含まれたPMT構成情報を読出してPMTパケットを生成する段階を含み、
前記(c)段階は前記MPEG伝送ストリームとPMTパケットとをマルチプレクシングして出力する段階を含むことを特徴とする請求項３１に記載の再生方法。
【請求項３４】
元の方式と異なる方式でエンコーディングされた映像データと、前記映像データを元と同一な状態にデコーディングするために参照せねばならない映像変換情報が記録された情報貯蔵媒体から前記映像データを再生する方法において、
(a)  プログラム領域から映像データ、ハイパーテキストデータ、及び映像変換情報がマルチプレクシングされて記録されたビットストリームを読出す段階と、
(b)  ビットストリームを映像データ、ハイパーテキストデータ、及び映像変換情報でデマルチプレクシングする段階と、
(c)  デマルチプレクシングされた映像データを前記映像変換情報を参照してデコーディングする段階と、
(d)  ハイパーテキストデータをデコーディングする段階と、
(e)  デコーディングされた映像データとハイパーテキストデータをブレンディングして出力する段階とを含むことを特徴とする再生方法。
【請求項３５】
前記(b)段階はPMTパケットに挿入されている映像変換情報を抽出する段階を含むことを特徴とする請求項３４に記載の再生方法。
【請求項３６】
前記映像データは異なる解像度を有するようにエンコーディングされたものであり、
前記映像変換情報は元の映像データの解像度を含むことを特徴とする請求項３５に記載の再生方法。
【請求項３７】
前記映像変換情報は元の横縦比をさらに含むことを特徴とする請求項３６に記載の再生方法。
【請求項３８】
前記映像変換情報はビデオ変換記述子としてビデオエレメント記述子に挿入されていることを特徴とする請求項３７に記載の再生方法。
【請求項３９】
前記ビデオ変換記述子は水平解像度、垂直解像度、及び横縦比を変数として有することを特徴とする請求項３８に記載の再生方法。
【請求項４０】
元の方式と異なる方式でエンコーディングされた映像データと、前記映像データを元と同一な状態にデコーディングするために参照せねばならない映像変換情報が記録された情報貯蔵媒体から前記映像データを再生する装置において、
プログラム領域からビットストリーム方式で記録された映像データ及びハイパーテキストデータを読出し、ナビゲーションデータ領域から映像変換情報が含まれたプログラム情報データを読出す読出部と、
読出されたプログラム情報データから映像変換情報を抽出する映像変換情報抽出部と、
前記読出部から提供された映像データ、ハイパーテキストデータ、及び前記映像変換情報抽出部から提供された映像変換情報をマルチプレクシングして出力するリマルチプレクサとを含むことを特徴とする再生装置。
【請求項４１】
読出されたビットストリームから映像データとハイパーテキストデータをデマルチプレクシングするデマルチプレクサと、
デマルチプレクシングされた映像データを抽出された映像変換情報を参照してデコーディングするビデオデコーダと、
デマルチプレクシングされたハイパーテキストデータをデコーディングするハイパーテキストデータデコーダと、
デコーディングされたハイパーテキストデータ及び映像データをブレンディングして出力するブレンダとをさらに含むことを特徴とする請求項４１に記載の再生装置。
【請求項４２】
前記読出部はビデオデータ、オーディオデータ、及びハイパーテキストデータがマルチプレクシングされたMPEG伝送ストリームを読出し、
前記映像変換情報抽出部は前記映像変換情報がPMT構成情報として含まれたPMTパケットを生成して前記リマルチプレクサに提供し、
前記リマルチプレクサは前記MPEG伝送ストリームとPMTパケットとをマルチプレクシングして出力することを特徴とする請求項４１に記載の再生装置。
【請求項４３】
元の方式と異なる方式でエンコーディングされた映像データと、前記映像データを元と同一な状態にデコーディングするために参照せねばならない映像変換情報が記録された情報貯蔵媒体から前記映像データを再生する装置において、
プログラム領域から映像データ、ハイパーテキストデータ、及び映像変換情報がマルチプレクシングされて記録されたビットストリームを読出す読出部と、
読出されたビットストリームを映像データ、ハイパーテキストデータ、及び映像変換情報でデマルチプレクシングするデマルチプレクサと、
映像変換情報を抽出するパーザと、
デマルチプレクシングされた映像データを、抽出された映像変換情報を参照してデコーディングするビデオデコーダと、
デマルチプレクシングされたハイパーテキストデータをデコーディングするハイパーテキストデータデコーダと、
デコーディングされた映像データとハイパーテキストデータとをブレンディングして出力するブレンダとを含むことを特徴とする再生装置。
【請求項４４】
前記パーザは前記PMTパケットに挿入されている映像変換情報を抽出して前記ビデオデコーダに提供することを特徴とする請求項４３に記載の再生装置。
【発明の詳細な説明】
【技術分野】
【０００１】
本発明は映像データを記録して再生する方法に係り、特に映像データ及びハイパーテキストデータを記録して再生する方法に関する。
【背景技術】
【０００２】
デジタル放送信号には映像データとハイパーテキストデータとがマルチプレクシングされている。映像データ及びハイパーテキストデータはMPEG伝送ストリーム方式で伝送される。使用者はMPEG伝送ストリームを受信して情報貯蔵媒体に記録して置き、所望時に再生して見られる。
【０００３】
図20は従来の技術の問題点を説明するための参考図である。
【０００４】
図20を参照すれば、MPEG伝送ストリームは映像データ(a)とハイパーテキストデータ(b)とが各々デコーディングされた後、合成されて(c)のように再生される。ところが、MPEG伝送ストリームのうち映像データ(a)をデコーディングした後、他の方式で再インコーディングされた映像データ(a')を記録するならば、再生時映像データ(a')とハイパーテキストデータ(b)とが正しく合成されず、ディスプレーできなくなる場合が生じる。
【発明の開示】
【発明が解決しようとする課題】
【０００５】
したがって、本発明の目的は、映像データを他の方式で再インコーディングして記録しても映像データとハイパーテキストデータとを正しく再生できる記録方法、その記録装置、再生方法、再生装置及び情報貯蔵媒体を提供することである。
【課題を解決するための手段】
【０００６】
前記目的は本発明によって、映像データを情報貯蔵媒体に記録する方法において、(a)  前記映像データをデコーディングする段階と、(b)  デコーディングされた映像データを元の方式とは異なる方式でエンコーディングする段階と、(c)  前記映像データを元と同一な状態にデコーディングするために参照せねばならない映像変換情報を生成する段階と、(d)  生成された映像変換情報及び再インコーディングされた映像データを記録する段階とを含むことを特徴とする記録方法によっても達成される。
【０００７】
また、映像データを情報貯蔵媒体に記録する方法において、(a)  前記映像データ及びハイパーテキストデータを含むビットストリームから前記映像データを分離してデコーディングする段階と、(b)  デコーディングされた映像データを元の方式と異なる方式でエンコーディングする段階と、(c)  再インコーディングされた映像データを元と同一な状態にデコーディングするために参照せねばならない映像変換情報を生成する段階と、(d)  生成された映像変換情報、再インコーディングされた映像データ及び前記ハイパーテキストデータをマルチプレクシングする段階と、(e)  マルチプレクシングされたビットストリームを前記情報貯蔵媒体に記録する段階とを含むことを特徴とする記録方法によっても達成される。
【０００８】
一方、本発明の他の分野によれば、前記目的は映像データを情報貯蔵媒体に記録する方法において、(a)  前記映像データとハイパーテキストデータとがマルチプレクシングされたビットストリームから前記映像データを分離してデコーディングする段階と、(b)  デコーディングされた映像データを元の方式と異なる方式でエンコーディングする段階と、(c)  前記映像データを元と同一な状態にデコーディングするために参照せねばならない映像変換情報を生成する段階と、(d)  生成された映像変換情報を前記情報貯蔵媒体のナビゲーションデータ領域に記録する段階と、(e)  再インコーディングされた映像データ、前記映像データと共に再生されるためのハイパーテキストデータをマルチプレクシングする段階と、(f)  マルチプレクシングされたビットストリームを前記情報貯蔵媒体のプログラム領域に記録する段階とを含むことを特徴とする記録方法によっても達成される。
【０００９】
一方、本発明の他の分野によれば、前記目的は元の方式と異なる方式でエンコーディングされて記録された映像データと、前記映像データを元と同一な状態にデコーディングするために参照せねばならない映像変換情報とを含むことを特徴とする情報貯蔵媒体によっても達成される。
【００１０】
前記情報貯蔵媒体は前記映像データと共に再生されるためのオーディオデータと、前記映像データと共にディスプレーされるハイパーテキストデータと、前記映像データを再生するために必要なプログラム構成データとをさらに含むことが望ましい。
【００１１】
前記映像データ、オーディオデータ、前記映像変換情報はマルチプレクシングされてプログラム領域に記録されたり、前記映像データ、オーディオデータ及びハイパーテキストデータはマルチプレクシングされてプログラム領域に記録され、前記映像変換情報は前記プログラム構成データとしてナビゲーションデータ領域に記録されることが望ましい。
【００１２】
前記映像データ、オーディオデータ及びハイパーテキストデータはマルチプレクシングされてMPEG伝送ストリーム方式でプログラム領域に記録され、前記映像変換情報はPMT構成情報としてナビゲーションデータ領域に記録されることがさらに望ましい。
【００１３】
前記映像変換情報は、ビデオ変換記述子としてビデオエレメント記述子に挿入され、前記ビデオ変換記述子は水平解像度、垂直解像度、及び横縦比を変数として有するのが特に望ましい。
【００１４】
一方、本発明の他の分野によれば、前記目的はビットストリームを受信して情報貯蔵媒体に記録する記録装置において、入力されたビットストリームから映像データを抽出するフィルター部と、抽出された映像データをデコーディングし、デコーディングされた映像データを元の方式と異なる方式でエンコーディングして記録し、前記映像データを元と同一な状態にデコーディングするために参照せねばならない映像変換情報を記録する記録部と、前記映像変換情報を生成して前記記録部へ提供する制御部を含むことを特徴とする記録装置によっても達成される。
【００１５】
前記記録部は前記映像変換情報を再インコーディングされた映像データと共にプログラム領域に記録したり、前記映像変換情報をナビゲーションデータ領域に記録することが望ましい。
【００１６】
前記フィルター部は入力されたビットストリームからビデオデータ、オーディオデータ、ハイパーテキストデータ、及びプログラム情報データをデマルチプレクシングするデマルチプレクサを具備し、前記制御部は前記ビデオデータを元と同一な状態にデコーディングするために参照せねばならない映像変換情報を生成して出力する映像変換情報生成部を具備し、前記記録部は前記デマルチプレクサから提供されたビデオデータをデコーディングするビデオデコーダと、デコーディングされたビデオデータを再インコーディングするビデオエンコーダと、生成された映像変換情報及び再インコーディングされたビデオデータをマルチプレクシングするマルチプレクサとを含む。
【００１７】
前記制御部は前記デマルチプレクサから出力されたプログラム情報データのうちPMTパケットを抽出するフィルターと、抽出されたPMTパケットに基づいて映像変換情報が含まれたPMT構成情報を生成するジェネレーターを含み、前記記録部はPMT構成情報を前記ナビゲーションデータ領域に記録することが望ましい。
【００１８】
一方、本発明の他の分野によれば、前記目的は元の方式と異なる方式でエンコーディングされた映像データと、前記映像データを元と同一な状態にデコーディングするために参照せねばならない映像変換情報が記録された情報貯蔵媒体から前記映像データを再生する方法において、(a)  プログラム領域から映像データ及びハイパーテキストデータを読出す段階と、(b)  ナビゲーションデータ領域から映像変換情報を読出す段階と、(c)  読出された映像データ、ハイパーテキストデータ、及び映像変換情報をマルチプレクシングして出力する段階を含むことを特徴とする再生方法によっても達成される。
【００１９】
また、元の方式と異なる方式でエンコーディングされた映像データと、前記映像データを元と同一な状態にデコーディングするために参照せねばならない映像変換情報が記録された情報貯蔵媒体から前記映像データを再生する方法において、(a)  プログラム領域から映像データ、ハイパーテキストデータ、映像変換情報がマルチプレクシングされて記録されたビットストリームを読出す段階と、(b)  ビットストリームを映像データ、ハイパーテキストデータ、及び映像変換情報でデマルチプレクシングする段階と、(c)  デマルチプレクシングされた映像データを前記映像変換情報を参照してデコーディングする段階と、(d)  ハイパーテキストデータをデコーディングする段階と、(e)  デコーディングされた映像データとハイパーテキストデータとをブレンディングして出力する段階とを含むことを特徴とする再生方法によっても達成される。
【００２０】
一方、本発明の他の分野によれば、前記目的は元の方式と異なる方式でエンコーディングされた映像データと、前記映像データを元と同一な状態にデコーディングするために参照せねばならない映像変換情報が記録された情報貯蔵媒体から前記映像データを再生する装置において、プログラム領域からビットストリーム方式で記録された映像データ及びハイパーテキストデータを読出し、ナビゲーションデータ領域から映像変換情報が含まれたプログラム情報データを読出す読出部と、読出されたプログラム情報データから映像変換情報を抽出する映像変換情報抽出部と、前記読出部から提供された映像データ、ハイパーテキストデータ、及び前記映像変換情報抽出部から提供された映像変換情報をマルチプレクシングして出力するリマルチプレクサを含むことを特徴とする再生装置によっても達成される。
【００２１】
また、読出されたビットストリームから映像データとハイパーテキストデータをデマルチプレクシングするデマルチプレクサと、デマルチプレクシングされた映像データを抽出された映像変換情報を参照してデコーディングするビデオデコーダと、デマルチプレクシングされたハイパーテキストデータをデコーディングするハイパーテキストデータデコーダと、デコーディングされたハイパーテキストデータ及び映像データをブレンディングして出力するブレンダとをさらに含むことを特徴とする再生装置によっても達成される。
【００２２】
前記読出部はビデオデータ、オーディオデータ、及びハイパーテキストデータがマルチプレクシングされたMPEG伝送ストリームを読出し、前記映像変換情報抽出部は前記映像変換情報がPMT構成情報として含まれたPMTパケットを生成して前記リマルチプレクサへ提供し、前記リマルチプレクサは前記MPEG伝送ストリームとPMTパケットとをマルチプレクシングして出力することが望ましい。
【００２３】
また、元の方式と異なる方式でエンコーディングされた映像データと、前記映像データを元と同一な状態にデコーディングするために参照せねばならない映像変換情報が記録された情報貯蔵媒体から前記映像データを再生する装置において、プログラム領域から映像データ、ハイパーテキストデータ、及び映像変換情報がマルチプレクシングされて記録されたビットストリームを読出す読出部と、読出されたビットストリームを映像データ、ハイパーテキストデータ、及び映像変換情報でデマルチプレクシングするデマルチプレクサと、映像変換情報を抽出するパーザと、デマルチプレクシングされた映像データを、抽出された映像変換情報を参照してデコーディングするビデオデコーダと、デマルチプレクシングされたハイパーテキストデータをデコーディングするハイパーテキストデータデコーダと、デコーディングされた映像データとハイパーテキストデータをブレンディングして出力するブレンダを含むことを特徴とする再生装置によっても達成される。
【発明の効果】
【００２４】
本発明によれば映像データを他の方式で再インコーディングして記録しても映像データとハイパーテキストデータとが正しく再生されうる。
【発明を実施するための最良の形態】
【００２５】
以下、添付された図面に基づいて本発明の望ましい実施例を詳細に説明する。
【００２６】
図1は、本発明に係る記録装置のブロック図である。
【００２７】
図1を参照すれば、記録装置はフィルター部1、制御部2、及び記録部3を含む。
【００２８】
フィルター部1は入力されたビットストリームから映像データを抽出する。記録部3は抽出された映像データをデコーディングし、デコーディングされた映像データを元の方式と異なる方式でエンコーディングして情報貯蔵媒体として光ディスク100に記録する。制御部2は映像データを元と同一な状態にデコーディングするために参照せねばならない映像変換情報を生成して記録部3に伝達する。
【００２９】
ビットストリームが、例えばデジタルTV放送局から伝送されるデジタル放送ストリームである場合、フィルター部1は再生/記録のためのプログラム情報データが含まれた情報パケットをフィルタリングする。さらに、選択されたプログラムを構成するデータパケットをフィルタリングする。
【００３０】
デジタル放送ストリームは、放送プログラムを構成するデータパケットと情報パケットの列(sequence)である。情報パケットは２種に区分されるが、１つは少なくとも１つの放送プログラムを構成するデータパケットの識別子が各々記録されているパケットの識別子を知らせる第1情報パケットであり、他の１つは該当放送プログラムを構成するデータパケットの識別子を知らせる第2情報パケットである。すなわち、第1情報パケットには第2情報パケットの識別子が記録されており、第2情報パケットには該当プログラムを構成するデータパケットの識別子が記録されている。多チャンネルが支援される場合、第2情報パケットは該当チャンネルの数だけ存在する。但し、物理的に各情報パケットを構成するパケットの数は複数個でありうる。さらに、情報パケットは２つに分割されず、１つに統合されたり、3つ以上に分離されて存在しうる。
【００３１】
デジタル放送ストリームがMPEG伝送ストリームである場合、再生/記録のためのプログラム情報データが含まれた情報パケットはPAT(Program Association Table)パケット、及びPMT(Program Map Table)パケットである。PATパケットは第1情報パケットであり、PMTパケットは第2情報パケットである。データパケットはビデオパケット、オーディオパケット、及び/またはハイパーテキストデータパケットを含む。
【００３２】
図2は図1の一実施例である。
【００３３】
図2を参照すれば、記録装置はMPEG伝送ストリームを受信した後、他の方式で再インコーディングして記録する装置であって、デマルチプレクサ50、ビデオデコーダ51、ビデオエンコーダ53、フィルター55、PSI(Program Specific Information)ジェネレーター56、及びマルチプレクサ57を具備する。また、オーディオデコーダ52及びオーディオエンコーダ54をさらに具備しうる。
【００３４】
デマルチプレクサ50は、MPEG伝送ストリームを受信してビデオデータ(及びオーディオデータ)、ハイパーテキストデータ、及びプログラム情報データに分離する。さらに具体的に、MPEG伝送ストリームはビデオPES(Packetized Element Stream)、オーディオPES、ハイパーテキストデータ、及びプログラム情報データに分離されて各々ビデオデコーダ51、オーディオデコーダ52、及びフィルター55に入力される。ビデオデコーダ51はビデオPESをデコーディングし、ビデオエンコーダ53はデコーディングされたビデオPESを他の方式でエンコーディングする。他の方式のエンコーディングとは、圧縮方式、データ大きさの縮小/伸張などを網羅する。オーディオデコーダ52はオーディオPESをデコーディングし、オーディオエンコーダ54はデコーディングされたオーディオPESを他の方式でエンコーディングする。但し、オーディオデコーダ52とオーディオエンコーダ54とが備えられない場合、オーディオPESは直ちにマルチプレクサ57に入力される。
【００３５】
フィルター55はハイパーテキストデータ及び必要なプログラム情報データをフィルタリングする。さらに具体的に、フィルター55はMPEG伝送ストリームに含まれて周期的に伝送されるPATパケット及びPMTパケットのうち必要なパケットをフィルタリングする。PATパケット及びPMTパケットにはMPEG伝送ストリーム方式で構成されたプログラムに対する記録/再生/探索のためのプログラム情報データが記録されている。PSI(Program Specific Information)ジェネレーター56は該当プログラムを記述するPSIを生成する。PSIのデータ構造はMPEGシステム標準に定義されている。また、PSIジェネレーター56はビデオデコーダ51から出力されたビデオデータの垂直/水平解像度及び横縦比を抽出して映像変換情報としてPMTパケットに挿入した後、マルチプレクサ57に伝達する。ビデオデータの垂直/水平解像度及び横縦比はビデオデータのヘッダに記録されている。マルチプレクサ57は入力されたビデオデータ、オーディオデータ、ハイパーテキストデータ、及び映像変換情報が含まれたPMTパケットをマルチプレクシングして出力する。マルチプレクシングされたデータストリームは光ディスク200のプログラム領域に記録される。
【００３６】
代案として、マルチプレクサ57は映像変換情報が含まれたPMTパケットをマルチプレクシングせずにそのまま通過させて光ディスク200のプログラム情報データ領域にのみ記録できる。PMTパケットはPMT構成情報が記録されたPMTテーブルとして記録されうる。
【００３７】
図3及び4はMPEG伝送ストリームを説明するための参考図である。
【００３８】
図3を参照すれば、入力されるMPEG伝送ストリーム300はビデオパケット31、33、34、37とオーディオパケット32、35、36がマルチプレクシングされている。MPEG伝送ストリームが受信されれば、これを構成するビデオパケット31、33、34、37とオーディオパケット32、35、36とは分離されて各々オーディオストリーム301及びビデオストリーム302に再結合される。
【００３９】
図4を参照すれば、MPEG伝送ストリーム400を構成するMPEG伝送パケット41、42、43、44、45、46、47には各々パケット識別子が割当てられている。同様に、MPEG伝送ストリーム400が受信されればデコーディング時に各パケットは分離されて同一な識別子を有するパケット同士に連結した１つのファイルとして取扱われる。すなわち、図4に示されたように、パケット識別子1を有するパケットは組合わせられて１つのストリーム402を構成し、パケット識別子2を有するパケットは組合わせられて他のストリーム401を構成する。一方、PATパケットは特定パケット識別子を割当てて識別しうる。図4ではパケット識別子0を有するパケットがPATパケットである。PATパケットには支援されるチャンネル数と同数のPMTパケットの識別子が記録されている。単純化のためにPATパケットは１つと表したが、前述したようにPATパケットの数は変更されうる。
【００４０】
図5は本発明に係る記録装置によりMPEG放送プログラムが記録された情報貯蔵媒体を説明するための参考図である。
【００４１】
図5を参照すれば、情報貯蔵媒体のデータ記録領域はナビゲーションデータが記録されるナビゲーションデータ領域とプログラム#1、#2、‥、#nが記録されるプログラム領域とに区分される。プログラムはビデオデータ(及びオーディオデータ)とハイパーテキストデータとがマルチプレクシングされたビットストリームで構成される。プログラム#1、#2、‥、#nは各々情報貯蔵媒体に記録されたコンテンツの論理的単位を示す。ナビゲーションデータはプログラムを記録/再生/編集するために必要な情報、プログラムに記述する一般の情報を示す。
【００４２】
図6Ａ及び6Ｂは本発明の実施例によって記録された映像変換情報のデータ構造を説明するための参考図である。
【００４３】
図6Ａを参照すれば、ナビゲーションデータ領域にPMT構成情報が記録されたPMTテーブルが記録されており、図6Ｂを参照すればプログラム領域にはPMT構成情報が含まれたPMTパケットがビットストリームに挿入されて記録される。
【００４４】
図7は本発明の一実施例に係るナビゲーションデータのデータ構造を説明するための参考図である。
【００４５】
図7を参照すれば、ナビゲーションデータは管理テーブルを含む。管理テーブルは情報貯蔵媒体全体に記録された複数個のプログラムに関する管理情報を含んでいる。管理テーブルは情報貯蔵媒体についての一般情報VOL_GI(Volume Gerneral information)、プログラム情報の位置を知らせるポインタテーブルPG_SRPT(Program search pointer table)、及び各プログラムについてのプログラム情報テーブルPG_IT#(Program Information Table#)を含む。
【００４６】
VOL_GIは情報貯蔵媒体に記録された全体プログラムの数PG_Ns(Program Numbers)を含む。PG_SRPTは管理テーブルの開始位置から該当プログラムに対するプログラム情報テーブルのオフセット値PG_IT_SRP#(PG_IT Search Pointer#)を知らせる。オフセット値PG_IT_SRP#は該当プログラムの数だけ存在する。
【００４７】
プログラム情報テーブルPG_ITには該当プログラムを再生するために必要な情報が入っている。プログラム情報テーブルPG_ITを構成するフィールドを順次に説明すれば、PAT_SAはPATテーブルの開始アドレスであってPG_ITの開始位置から該当PATテーブルのオフセット値を知らせ、PMT_SAはPMTテーブルの開始アドレスであってPG_ITの開始位置から該当PMTテーブルのオフセット値を知らせる。TMAP_SAはTMAPの開始アドレスであってPG_ITの開始位置から該当PATテーブルのオフセット値を知らせる。PATテーブルはMPEG-2標準に定義されたProgram Association Table structureと同一な構造を有する。但し、PATテーブルは該当プログラムに対するPMTパケットに記録されたPMT情報のみを参照可能な構造に修正及び記録されうる。PMTテーブルにはPMTパケットに含まれたPMT構成情報が記録される。さらに、本発明に係る映像変換情報が挿入される。TMAPは時間を位置(アドレス)でマッピングさせるテーブルである。その構造は、例えばDVD-VRまたはDVD-Streamerの構造と同一で有り得る。
【００４８】
映像変換情報は、解像度及び横縦比を含む。解像度は元の状態のビットストリームに含まれた映像データの解像度を示す。横縦比は画素の横縦比を示す。必要に応じて、ディスプレー画面の横縦比まで意味しうる。
【００４９】
図8は本発明の一実施例に係る映像変換情報のデータ構造を説明するための参考図である。
【００５０】
図8を参照すれば、映像変換情報は前述したPMTテーブルまたはPMTパケットに挿入される。PMTパケットにはMPEG規格に係るビデオエレメント記述子が定義されている。ビデオエレメント記述子はビデオデータがMPEG-1、MPEG-2、及びMPEG-4のうち何れか１つの規格によるビデオデータであるかを知らせる情報などを記録するためのものである。ビデオエレメント記述子には本発明に係る映像変換情報のビデオ変換記述子が追加されている。ビデオ変換記述子は再インコーディングされる前のビデオデータの解像度及び横縦比を知らせる。図9はビデオエレメント記述子に含まれたビデオ変換記述子の一例である。
【００５１】
ここで、「descriptor_tag」はビデオ変換記述子の識別子を意味する。「descriptor_length」はビデオ変換記述子のデータ大きさを示す。「horizontal_size」は水平方向の解像度を、「vertical_size」は垂直方向の解像度を意味する。「aspect_ratio_information」は横縦比を示す。
【００５２】
MPEG規格に係るPMTパケットは図10の通り定義される。
【００５３】
ここで、「stream_type==0×02」であれば、ビデオデータを意味する。すなわち、「stream_type==0×02」の場合「descriptor()」はビデオデータを記述するビデオエレメント記述子である。ビデオエレメント記述子に本発明に係るビデオ変換記述子が図11の通り挿入される。
【００５４】
前記のような構成に基づいて本発明に係る記録方法を説明すれば次の通りである。
【００５５】
図12は本発明の一実施例に係る記録方法を説明するためのフローチャートである。
【００５６】
図12を参照すれば、記録装置は受信されたMPEG伝送ストリームに対する映像変換情報を生成した後、PMT構成情報としてPMTテーブルに挿入してプログラムが記録される領域と別にナビゲーションデータ領域とに記録する(901段階)。ここで、記録装置はPMTテーブルの代りにPMTパケットで記録しうる。PMTテーブルで記録すれば記録空間を狭める長所はあるが、再生時にPATパケット及びPMTパケットで再び組合わせてMPEGデコーダに伝達せねばならない煩わしさがある。PATパケット及びPMTパケットで記録する場合はその反対である。一方、記録装置は使用者から記録要請されたプログラムを構成するMPEG伝送パケットを抽出し、その映像データを他の方式でエンコーディングしてプログラム領域に記録する(902段階)。PATパケット及びPMTパケットを共に記録するか否かは選択的である。901段階と902段階とは時差をおいて何れか１つが先に行われることがある。または、時分割技法により同時に行われうる。
【００５７】
図13は本発明の他の実施例に係る記録方法を説明するためのフローチャートである。
【００５８】
図13を参照すれば、記録装置はビデオデータとハイパーテキストデータとがマルチプレクシングされたMPEG伝送ストリームを受信して記録する時にビデオデータの解像度を変更して記録する。すなわち、ビデオデコーダ51はビデオデータをデコーディングし(1001段階)、ビデオエンコーダ53はデコーディングされたビデオデータを変更された解像度を有するように再インコーディングする(1002段階)。一方、フィルター55はMPEG伝送ストリームからデマルチプレクシングされたハイパーテキストデータをマルチプレクサ57に提供する(1003段階)。PSIジェネレーター56は映像変換情報(ビデオ変換記述子)を生成してPMTパケットのビデオエレメント記述子に挿入する(1004段階)。マルチプレクサ57はエンコーディングされたビデオデータ(及びオーディオデータ)とハイパーテキストデータをマルチプレクシングして出力する(1105段階)。記録装置はPMT構成情報をナビゲーションデータ領域に記録する(1006段階)。一方、マルチプレクシングされたビットストリームはプログラム領域に記録する(1007段階)。
【００５９】
図14は本発明に係る再生装置のブロック図である。
【００６０】
図14を参照すれば、再生装置はデコーダ5、映像変換情報抽出部6、及び読出部4を具備する。読出部4は光ディスク300からビットストリームデータ及び映像変換情報を読出す。映像変換情報抽出部6は読出部64から映像変換情報を抽出してデコーダ5に提供する。デコーダ5は提供された映像変換情報を参照してビットストリームデータを元と同一な状態にデコーディングする。
【００６１】
図15は図14の一実施例である。
【００６２】
図15を参照すれば、再生装置はリーダ4、デマルチプレクサ60、ビデオデコーダ61、オーディオデコーダ62、フィルター65、PSIパーザ66、ハイパーテキストデータデコーダ63、及びブレンダ64を含む。特に本実施例では映像変換情報抽出部6としてPSIパーザ66を具備する。
【００６３】
リーダ4は情報貯蔵媒体の光ディスク500からビットストリームを読出して出力する。ビットストリームはビデオデータ(及びオーディオデータ)、ハイパーテキストデータがマルチプレクシングされている。特にビットストリームには本発明によって映像変換情報がPMTパケットにマルチプレクシングされている。ビットストリームはデジタル信号として外部に出力されたり、デマルチプレクサ60に入力される。デマルチプレクサ60はビットストリームをデマルチプレクシングして各々ビデオデータ、オーディオデータ、ハイパーテキストデータ、プログラム情報データを出力する。フィルター65はハイパーテキストデータ及びプログラム情報データのうち必要なデータをフィルタリングする。PSIパーザ66はプログラム情報データから映像変換情報をパージングしてビデオデコーダ61に伝達する。ビデオデコーダ61はPSIパーザ66から提供された元の解像度と横縦比(映像変換情報)に合わせて映像データをデコーディングした後、ブレンダ64に提供する。オーディオデコーダ62はオーディオデータをデコーディングしてサウンド出力装置に提供する。フィルター65を通過したハイパーテキストデータはハイパーテキストデータデコーダ63でデコーディングされてブレンダ64に提供される。ブレンダ64は映像データとハイパーテキストデータをブレンディングして出力する。
【００６４】
図16は図14の他の実施例である。
【００６５】
図16を参照すれば、再生装置はリーダ4、映像変換情報抽出部6、リマルチプレクサ67、デマルチプレクサ60、ビデオデコーダ61、オーディオデコーダ62、フィルター65、PSIパーザ66、ハイパーテキストデータデコーダ63、及びブレンダ64を具備する。特に、本実施例においてPSIパーザ66はデコーダ5に含まれ、映像変換情報抽出部6はPSIパーザ66と別に存在する。さらに、図15のそれと違ってデコーダ5はリマルチプレクサ67をさらに具備する。
【００６６】
リーダ4は情報貯蔵媒体の光ディスク400からビットストリームを読出して映像変換情報抽出部6及び/またはデマルチプレクサ60に出力する。ビットストリームはビデオデータ(及びオーディオデータ)、ハイパーテキストデータがマルチプレクシングされている。また、リーダ4はナビゲーションデータ領域からPMT構成情報として記録された映像変換情報を読出して映像変換情報抽出部6に出力する。
【００６７】
映像変換情報抽出部6は映像変換情報を抽出してリマルチプレクサ67及び/またはビデオデコーダ61に提供する。リマルチプレクサ67はビットストリームと映像変換情報とをマルチプレクシングしてデジタル信号として出力する。デマルチプレクサ60はビットストリームをデマルチプレクシングして各々ビデオデータ、オーディオデータ、ハイパーテキストデータ、プログラム情報データを出力する。ビデオデコーダ61は映像変換情報抽出部6から提供された元の解像度と横縦比(映像変換情報)に合わせて映像データをデコーディングした後、ブレンダ64に提供する。オーディオデコーダ62はオーディオデータをデコーディングしてサウンド出力装置に提供する。フィルター65を通過したハイパーテキストデータはハイパーテキストデータデコーダ63でデコーディングされてブレンダ64に提供される。ブレンダ64は映像データとハイパーテキストデータとをブレンディングして出力する。一方、プログラム情報データはフィルター65を通過した後、PSIパーザ66によりパージングされる。
【００６８】
前述したような構成に基づき本発明に係る再生方法を説明すれば次の通りである。
【００６９】
図17は再生方法の一実施例を説明するためのフローチャートである。
【００７０】
図17を参照すれば、再生装置の映像変換情報抽出部6は再生しようとするプログラムに対応するPMT構成情報をデコーダ5に伝達する(1401段階)。PMT構成情報には映像変換情報が含まれている。また読出部4はプログラムを構成するビットストリームを読出し(1402段階)、デコーダ5に伝達する(1403段階)。デコーダ5はビットストリームに映像変換情報をマルチプレクシングしてデジタル信号に出力する。
【００７１】
図18は再生方法の他の実施例を説明するためのフローチャートである。
【００７２】
図18を参照すれば、再生装置はリーダ4を通じて光ディスク500から映像変換情報がPMT構成情報として共にマルチプレクシングされているMPEG伝送ストリームを読出して外部に出力する(1501段階)。一方、再生装置は解像度が変更されて記録された映像データが含まれたMPEG伝送ストリームを読出して再生する。すなわち、デマルチプレクサ60は光ディスク500に記録されたMPEG伝送ストリームをビデオデータ、オーディオデータ、ハイパーテキストデータ及びプログラム情報データにデマルチプレクシングする(1502段階)。フィルター65は必要なハイパーテキストデータ及びプログラム情報データをフィルタリングする(1503段階)。PSIパーザ66はフィルター65からビデオ変換記述子をパージングしてビデオデコーダ61に提供する(1504段階)。ビデオデコーダ61はビデオ変換記述子を参照して元の解像度を有するようにビデオデータをデコーディングする(1505段階)。オーディオデコーダ62はオーディオデータをデコーディングしてサウンド出力装置(スピーカー)に出力する(1506段階)。ハイパーテキストデータデコーダ63はハイパーテキストデータをデコーディングする(1507段階)。ブレンダ64はデコーディングされたビデオデータ及びハイパーテキストデータをブレンディングしてディスプレー装置(図示せず)に出力する(1508段階)。これにより、ビデオデータ及びハイパーテキストデータが元と同一な状態にディスプレーされる。
【００７３】
図19は再生方法のさらに他の実施例を説明するためのフローチャートである。
【００７４】
図19を参照すれば、リーダ4は光ディスク400のプログラム領域からMPEG伝送ストリームを読出してリマルチプレクサ67及びデマルチプレクサ60に出力する(1601段階)。リーダ4は光ディスク400のナビゲーションデータ領域からPMT構成情報を読出し、映像変換情報抽出部6はPMT構成情報に基づいてPMTパケットを生成してリマルチプレクサ67に提供する(1602段階)。リマルチプレクサ67はMPEG伝送ストリームとPMTパケットとをマルチプレクシングしてデジタル信号として外部に出力する(1603段階)。デマルチプレクサ60はMPEG伝送ストリームをビデオデータ、オーディオデータ、ハイパーテキストデータ及びプログラム情報データにデマルチプレクシングする(1604段階)。フィルター65は必要なハイパーテキストデータ及びプログラム情報データをフィルタリングする(1605段階)。映像変換情報抽出部6は映像変換情報(ビデオ変換記述子)をビデオデコーダ61に提供する(1606段階)。ビデオデコーダ61は映像変換情報(ビデオ変換記述子)を参照して元の解像度を有するようにビデオデータをデコーディングする(1607段階)。オーディオデコーダ62はオーディオデータをデコーディングしてサウンド出力装置(スピーカー)に出力する(1608段階)。ハイパーテキストデータデコーダ63はハイパーテキストデータをデコーディングする(1609段階)。ブレンダ64はデコーディングされたビデオデータ及びハイパーテキストデータをブレンディングしてディスプレー装置(図示せず)に出力する(1610段階)。これにより、ビデオデータ及びハイパーテキストデータが元と同一な状態にディスプレーされる。
【００７５】
前記記録方法及び再生方法はコンピュータプログラムで作成できる。前記プログラムを構成するコード及びコードセグメントは当該分野のコンピュータプログラマーによって容易に推論されうる。また、前記プログラムはコンピュータが読出し可能な情報貯蔵媒体に貯蔵され、コンピュータによって読出されて実行されることによって前記MPEG放送プログラムを記録して再生する方法を具現する。前記情報貯蔵媒体は磁気記録媒体、光記録媒体、及びキャリアウェーブ媒体を含む。
【図面の簡単な説明】
【００７６】
【図１】本発明の一実施例に係る記録装置のブロック図である。
【図２】本発明の他の実施例に係る記録装置のブロック図である。
【図３】MPEG伝送ストリームを説明するための参考図である。
【図４】MPEG伝送ストリームを説明するための参考図である。
【図５】本発明に係る記録装置によりMPEG伝送ストリームが記録された情報貯蔵媒体のデータ構造を説明するための参考図である。
【図６Ａ】本発明の実施例によって記録された映像変換情報のデータ構造を説明するための参考図である。
【図６Ｂ】本発明の実施例によって記録された映像変換情報のデータ構造を説明するための参考図である。
【図７】本発明の一実施例に係るナビゲーションデータのデータ構造を説明するための参考図である。
【図８】本発明の一実施例に係る映像変換情報のデータ構造を説明するための参考図である。
【図９】ビデオエレメント記述子に含まれたビデオ変換記述子の一例を示す図である。
【図１０】MPEG規格に係るPMTパケットの定義を示す図である。
【図１１】ビデオエレメント記述子に挿入される本発明に係るビデオ変換記述子を示す図である。
【図１２】本発明の一実施例に係る記録方法を説明するためのフローチャートである。
【図１３】本発明の他の実施例に係る記録方法を説明するためのフローチャートである。
【図１４】本発明の一実施例に係る再生装置のブロック図である。
【図１５】本発明の他の実施例に係る再生装置のブロック図である。
【図１６】本発明のさらに他の実施例に係る再生装置のブロック図である。
【図１７】本発明の一実施例に係る再生方法を説明するためのフローチャートである。
【図１８】本発明の他の実施例に係る再生方法を説明するためのフローチャートである。
【図１９】本発明のさらに他の実施例に係る再生方法を説明するためのフローチャートである。
【図２０】従来の技術の問題点を説明するための参考図である。
【符号の説明】
【００７７】
1  フィルター部
2  制御部
3  記録部
4  読出部（リーダ）
5  デコーダ
6  映像変換情報抽出部
50  デマルチプレクサ
51  ビデオデコーダ
52  オーディオデコーダ
53  ビデオエンコーダ
54  オーディオエンコーダ
55  フィルター
56  PSI(Program Specific Information)ジェネレーター
57  マルチプレクサ
60  デマルチプレクサ
61  ビデオデコーダ
62  オーディオデコーダ
63  ハイパーテキストデータデコーダ
64  ブレンダ
65  フィルター
66  PSIパーザ
67  リマルチプレクサ
100,200,300,400,500  光ディスク
【図１】
2005312071.tif 000003
【図２】
2005312071.tif 000004
【図３】
2005312071.tif 000005
【図４】
2005312071.tif 000006
【図５】
2005312071.tif 000007
【図６Ａ】
2005312071.tif 000008
【図６Ｂ】
2005312071.tif 000009
【図７】
2005312071.tif 000010
【図８】
2005312071.tif 000011
【図９】
2005312071.tif 000012
【図１０】
2005312071.tif 000013
【図１１】
2005312071.tif 000014
【図１２】
2005312071.tif 000015
【図１３】
2005312071.tif 000016
【図１４】
2005312071.tif 000017
【図１５】
2005312071.tif 000018
【図１６】
2005312071.tif 000019
【図１７】
2005312071.tif 000020
【図１８】
2005312071.tif 000021
【図１９】
2005312071.tif 000022
【図２０】
2005312071.tif 000023